(57)【要約】【課題】  通常の眼鏡に対し防塵眼鏡やサングラスといった補助眼鏡を容易に着脱することができる着脱構造を提供する。【解決手段】  補助眼鏡１の左右両端部に縦方向の軸２によって回動自在に支持台３を設け、この支持台３に眼鏡本体との固定具４を設ける。固定具４は、支持台３に固定した固定部材５と、固定部材５に対して上下方向に移動可能であってバネ９によって上方に付勢される可動部材６とで構成する。固定部材６の内側面には眼鏡本体７のつる８を挿入することができる切欠部10を形成するとともに、可動部材６にはバネ９の弾性に抗して押し込んだ時に前記支持台３の切欠部10と一致する位置に、眼鏡本体７のつる８を挿入することができる凹所11を形成する。したがって、可動部材を押し込んだ状態で眼鏡本体のつるを挿入し、可動部材の押圧を解除すると、固定部材５と可動部材６の間にバネ９の力によって眼鏡本体のつるが挟持される。【選択図】  図２
2005049669.tif 000002
【特許請求の範囲】
【請求項１】
補助眼鏡の左右両端部に縦方向の軸によって回動自在とした支持台を設け、該支持台に固定される固定部材と該固定部材に対して上下方向に移動可能であって上方もしくは下方に付勢される可動部材とで構成する固定具を設け、
前記固定具の固定部材によって眼鏡本体のつるの上端もしくは下端のいずれか一方を支持させるとともに、可動部材によって眼鏡本体のつるの上端もしくは下端のいずれか他方を支持させることによって眼鏡本体のつるに補助眼鏡を着脱自在に装着することを特徴とする補助眼鏡の着脱構造。
【請求項２】
支持台の内側面に盲筒状の固定部材を固定し、その開放端から先端が突出するとともに筒内の一定寸法の範囲を移動可能であってバネにより固定部材の開放端方向に付勢される可動部材を装着し、
固定部材の内側面に眼鏡本体のつるを挿入することができる切欠部を、可動部材には前記バネの弾性に抗して固定部材に押し込んだ時に前記支持台の切欠部と一致する位置に、眼鏡本体のつるを挿入することができる凹所を形成したことを特徴とする請求項１記載の補助眼鏡の着脱構造。
【請求項３】
固定部材が上方に向けて開放されるものであり、該固定部材の切欠部上端部分に眼鏡本体のつるの上部内面に係合する爪を形成するとともに、可動部材の切欠部下端部分に眼鏡本体のつるを支受する凹部を形成したことを特徴とする請求項２記載の補助眼鏡の着脱構造。
【請求項４】
補助眼鏡の左右両側に設ける支持台が、広幅の板状であって防護板として機能する請求項１ないし３のいずれかに記載の補助眼鏡の着脱構造。
【請求項５】
補助眼鏡の左右両端部に固定される固定部材と該固定部材に対して上下方向に移動可能であって上方もしくは下方に付勢される可動部材とで構成する固定具を設け、
前記固定具の固定部材によって眼鏡本体の一部を上方もしくは下方のいずれか一方で支受させるとともに、可動部材によって眼鏡本体の一部を上方もしくは下方のいずれか他方に押圧することによって、固定部材と可動部材で眼鏡本体の一部を挟持させて補助眼鏡を眼鏡本体の一部に着脱自在に装着することを特徴とする補助眼鏡の着脱構造。
【発明の詳細な説明】
【技術分野】
【０００１】
この発明は、通常の眼鏡に防塵眼鏡や作業用の安全カバー、あるいはサングラスといった補助眼鏡を容易に着脱することができる着脱構造に関する発明である。
【背景技術】
【０００２】
防塵眼鏡やサングラスといった特殊な眼鏡は、その環境や作業条件によって適宜用いられるものであるが、もともと眼鏡を掛けている人は通常の眼鏡と特殊な眼鏡を重ねて装着することができない。そして、特殊な眼鏡を掛けてしまうと通常の視力を得ることができない。これを解決するために、度付きサングラスのように特殊な眼鏡を度付きとすることも考えられるが、この場合、度付きの特殊眼鏡は特注する必要があり、非常に高価なものとなってしまう欠点がある。
【０００３】
また、特許文献１や２に示すように特殊な眼鏡をつるのない補助眼鏡とし、該補助眼鏡を通常の眼鏡本体に着脱可能とすることによって、眼鏡を掛けている人も防塵眼鏡のような特殊な眼鏡を自由に利用することが行われている。特許文献１には、保護カバーを眼鏡本体に着脱して防塵眼鏡として使用する思想が開示されているが、この構造では、保護カバーと眼鏡を紐状体で固定するため、簡単に着脱することができない。また、紐状体をゴムなどの弾性部材で構成する思想が開示されているが、この場合は必ずしも補助眼鏡をしっかりと固定することができない欠点があった。さらに、特許文献２には、クリップによって主眼鏡のレンズに重ねて着脱レンズを着脱する思想が開示されているが、このようなものではレンズ機能の変更のみであって防塵眼鏡などには利用することができないとともに、装着した着脱レンズが必ずしも安定よく強固に装着されるものではない。
【特許文献１】実公平１−２８４９１号公報        特開２００１−１３４６６号公報
【発明の開示】
【発明が解決しようとする課題】
【０００４】
前記従来技術の欠点に鑑み、本発明は通常の眼鏡以外の目的に使用する特殊な眼鏡をつるのない補助眼鏡とし、この補助眼鏡を眼鏡本体に、容易かつ強固に着脱することができる補助眼鏡の着脱構造を提供することを目的とするものである。
【課題を解決するための手段】
【０００５】
請求項１記載の発明は、補助眼鏡１の左右両端部に縦方向の軸２によって回動自在に支持台３を設け、この支持台３に固定される固定部材５と該固定部材５に対して上下方向に移動可能であって上方もしくは下方に付勢される可動部材６とで構成する固定具４を設ける。固定具４は、固定部材５によって眼鏡本体７のつる８の上端もしくは下端のいずれか一方に、例えば当接させて支持するとともに、可動部材６によって眼鏡本体７のつる８の上端もしくは下端のいずれか他方を支持させることによって、眼鏡本体７のつるに補助眼鏡１を着脱自在に装着する。
【０００６】
請求項２記載の発明は、支持台３の内側面に盲筒状の固定部材５を固定し、その開放端から先端が突出するとともに筒内の一定寸法を移動可能であってバネ９によって固定部材５の開放端方向に付勢される可動部材６を装着するものである。固定部材６の内側面には眼鏡本体７のつる８を挿入することができる切欠部10を形成するとともに、可動部材６にはバネ９の弾性に抗して押し込んだ時に前記支持台３の切欠部10と一致する位置に、眼鏡本体７のつる８を挿入することができる凹所11を形成したものである。
【０００７】
請求項３記載の発明は、前記請求項２記載の発明において、固定部材５が上方に向けて開放されるものであり、固定部材５の切欠部10上端に眼鏡本体７のつる８上部内面に係合する爪12を形成するとともに、可動部材６の凹所11下端部に眼鏡本体７のつる８を支受する凹部13を形成したものである。この発明では、固定部材５が上方に向けて開放されるものである結果、操作部である可動部材６が上方に突出し操作に便利である。もっとも、筒状の固定部材５は開放端を下向きとするものであっても良い。この場合、可動部材を下から上へ押し上げる操作によって着脱を行うことになる。
【０００８】
請求項４記載の発明は、主として防塵眼鏡や遮光を必要とする作業用の安全カバーなどとして有効な態様であって、補助眼鏡１の左右両側に設ける支持台３を広幅の板状とし、これを防護板として機能させようとするものである。
【０００９】
請求項５記載の発明は、補助眼鏡１の左右両端部に固定部材５を固定し、この固定部材５に対して上下方向に移動可能であって上方もしくは下方に付勢される可動部材６を設けるものである。そして、固定部材５によって眼鏡本体７の一部を上方もしくは下方のいずれか一方で支受させるとともに、可動部材６によって眼鏡本体７の一部を上方もしくは下方のいずれか他方に押圧することによって、固定部材５と可動部材６で眼鏡本体７の一部を挟持させて、補助眼鏡１を眼鏡本体７の一部に着脱自在に装着する。すなわち、固定具の固定部材５を補助眼鏡自体に取付けるものである。
【発明の効果】
【００１０】
請求項１記載の発明によれば、補助眼鏡１の左右両側に設けた支持台３に固定した固定具４によって、眼鏡本体７のつる８を支持することができ、眼鏡本体７と補助眼鏡１を簡単に着脱することができる。具体的には、固定具の固定部材５に対し可動部材６の付勢力によって眼鏡本体のつるを挟持させることで確実に装着することができるものである。このとき、固定具４の固定部材５は、補助眼鏡１に対して回動する支持台３に固定しているため、サイズの異なる眼鏡本体に対しても対応することができる。
【００１１】
請求項２記載の発明によれば、請求項１記載の発明を比較的簡単な構造によって確実に実施することができる。特に、固定部材５の切欠部10に眼鏡本体７のつるを挿入させ、バネ９の弾性によって挟持させるため、眼鏡本体７に対して補助眼鏡１をワンタッチで着脱することができる。
【００１２】
請求項３記載の発明によれば、請求項２記載の発明を実施するに際し、固定部材５の切欠部10上端に、眼鏡本体７のつる８上部内面に係合する爪12と、可動部材の凹所11下端部に、つる８を支受する凹部13を形成する。そのため、つる８を安定良くしっかりと固定することができるとともに、爪12を形成することによって衝撃や使用者の動きに対して装着状態を確実に維持することができる。
【００１３】
請求項４記載の発明によれば、固定具４を設ける支持台３を広幅の板状とし、これを防護板として機能させることによって、例えば防塵眼鏡であれば側面部分の防塵カバーとして、サングラスのように光線を防止する特殊眼鏡であれば、側方からの遮光板として機能させ、補助眼鏡の働きを助長するものである。請求項１ないし３記載の発明では、支持台３は特に板状である必要はない。
【００１４】
請求項５記載の発明によれば、補助眼鏡１と眼鏡本体７を着脱する固定具４の固定部材を補助眼鏡１の一部に直接固定するもので、構造を簡略化することが可能となる。この場合の固定位置は、眼鏡本体７のつるである必要はなく、例えば眼鏡枠の左右両端部分を固定具で挟持させることによって着脱自在とする。
【発明を実施するための最良の形態】
【００１５】
図１は、本発明に係る着脱構造を備えた補助眼鏡と、該補助眼鏡を装着する眼鏡本体の一例を示す斜視図、図２は補助眼鏡の固定具部分の分解斜視図である。
図１に示す補助眼鏡１は防塵眼鏡として埃の多い環境の作業に際して、通常の眼鏡本体７に装着して使用するものである。
【００１６】
図１及び図２に示す実施形態の補助眼鏡１は、全体をゴーグル状に形成し、その左右両端部に縦方向の貫通孔17を穿設した支持板14を水平方向に突出させている。この支持板14の貫通孔17を利用し、支持台３を回動自在に装着する。すなわち支持台３の基端部に配置した細幅の基板3aにボス15付きの突出片16を水平に突出させ、ボス15を前記貫通孔17に遊嵌合させることによって、支持台３は補助眼鏡１に対して回動自在に枢着する。図示例では、貫通孔とボスの嵌合によって回動自在としているが、補助眼鏡１と支持台３は上下方向の一本の軸によって支持するものであってもよい。
【００１７】
支持台３の細幅の基板3aには、眼鏡の上下幅であって先細りに形成した防護板3bが一体に形成しており、該防護板3aの内面に固定具４の固定部材５が固定している。固定部材５は下端を閉塞した角筒状であって、図２に示すようにその中間部分に内面から水平方向の切欠部10を形成するとともに、切欠部10の上端内縁部分に下方に向けて爪12を突出させている。
【００１８】
角筒状に形成した固定部材５には、バネ９を介在させて可動部材６を装着している。すなわち、可動部材６は、角筒状の固定部材５に挿入される角柱状に形成し、下端部にバネ９が嵌り込むバネ支持部18を形成してある。また、筒状の固定部材５に挿入する可動部材６には、バネ９の弾発力に抗して押し込んだときに、前記固定部材５の切欠部10と一致する部分に、眼鏡本体７のつる８部分を挿入することができる凹所11を形成している。さらに凹所11の下端部、すなわち底面に眼鏡本体７のつる８が安定よく支受されるように、谷状の凹部13を形成している。
【００１９】
可動部材６の背面には、図２に示すように上端から中間部分に至る溝19を刻設するとともに、支持台３の防護板3bにビス孔20を設けビス21を装着している。そして、ビス21の先端は、前記可動部材６に形成した溝19に入り込むようにしている。しかして、可動部材６は溝19を刻設した一定寸法の範囲で移動可能であって、上端部分が固定部材５の上端から突出し、上方に向けて付勢されるものとなっている。したがって、固定部材５の上端から突出している可動部材６の上端突出部分を手指で押圧すると、バネ９の弾発力に抗して可動部材６を下方に押し込むことができる。
【００２０】
以上述べた、補助眼鏡の着脱構造の作動状態を、固定具部分の縦断面図である図３ないし図５に基づいて説明する。
図３は、眼鏡本体に装着する前の状態であって、バネ９の弾発力によって上方に押し上げられ、ビス21と溝19の係合によって抜け止めされている。
【００２１】
図３に示す状態で、固定部材５から突出している可動部材６の上端部分を手指で押圧すると、図４に示すようにバネ９の弾発力に抗して押し下げられる。この状態では、固定部材５の切欠部10と可動部材６の凹所13が一致している。したがって、眼鏡本体のつる８を矢印で示すように外部から切欠部10及び凹所11内に挿入することができる。すなわち、補助眼鏡１を眼鏡本体７に装着することができる。
【００２２】
眼鏡本体７のつる８を固定部材５の切欠部10及び可動部材６の凹所11内に挿入した状態で可動部材６の押圧を解除すると、可動部材６がバネ９の弾発力によって上方に押し上げられる。可動部材６が上方に押し上げられると、内部に挿入した眼鏡本体７のつる８は固定部材５と可動部材６によって挟持される。
【００２３】
すなわち、つる８の上端は切欠部10の上縁10aに支持されるとともに、つるの下端は可動部材６の凹部13に支持される。そして、可動部材の凹部13は谷状に形成されていることから所定位置に安定し、しっかりと盲動することなく保持され、バネ９の弾発力によって保持状態が維持される。さらに、固定部材５の内端部分に爪12を形成していることから、つる８の上端部分が内方(図５の右方向)に抜け出すことを防止することができる。
【００２４】
したがって、補助眼鏡１は眼鏡本体７から不用意に外れるようなことがなく、安全かつ確実に装着することができる。眼鏡本体７から補助眼鏡１を取り外す場合は、前記装着の場合と逆に、可動部材６の突出部分を手指で押圧し、可動部材６の凹所13に位置しているつる８を、固定部材５の切欠部10から外部に抜き出す。このように、可動部材６の突出部分を押圧することによって、補助眼鏡１は眼鏡本体７に対して自由に着脱することができるものである。
【００２５】
以上述べた実施形態では、支持台３に固定する筒状の固定部材５が、上方に開口するものであるが、下方に開口し可動部材６を下から上へ押し上げるように操作するものであってもよい。また、補助眼鏡１に対して回動自在に装着する支持台３は、図示例の回動構造に限らず任意構造によって水平方向に回動するものとすることができる。
さらに、固定具４は補助眼鏡１に対して回動する支持台３に設けるだけでなく、回動しない支持台、換言すれば補助眼鏡１の一部に設けるものであってもよい。
【図面の簡単な説明】
【００２６】
【図１】本発明に係る補助眼鏡の着脱構造を備えた補助眼鏡と、補助眼鏡を装着する眼鏡本体の一例を示す斜視図
【図２】補助眼鏡の固定具部分の分解斜視図、
【図３】補助眼鏡の固定具部分の縦断面図、
【図４】補助眼鏡の固定具部分であって、可動部材を押圧した状態の縦断面図
【図５】補助眼鏡の固定具部分であって、補助眼鏡を眼鏡本体に装着した状態の縦断面図。
【符号の説明】
【００２７】
１…補助眼鏡、  ２…軸、  ３…支持台、  3a…基板、  3b…防護板、  ４…固定具、  ５…固定部材、  ６…可動部材、  ７…眼鏡本体、  ８…つる、  ９…バネ、  10…切欠部、  10a,11…凹所、  12…爪、  13…凹部、  14…支持板、  15…ボス、  16…突出片、  17…貫通孔、  18…バネ支持部、  19…溝、  20…ビス孔、  21…ビス。
【図１】
2005049669.tif 000003
【図２】
2005049669.tif 000004
【図３】
2005049669.tif 000005
【図４】
2005049669.tif 000006
【図５】
2005049669.tif 000007